(57)【特許請求の範囲】
【請求項１】
洗浄水タンク内の洗浄水を便器に排水する排水弁駆動ユニットであって、
上記洗浄水タンクに設けられた排水口を開閉する弁体を備えた排水弁装置部と、
一端が上記排水弁装置部に連結されると共に他端が操作部に連結される連結部材と、を有し、
この連結部材は、中空管部と、この中空管部内を貫く連結線部と、を備え、上記連結部材の他端には、上記操作部の操作に応じて上記連結線部が上記中空管部に対して移動されると上記弁体が開閉されるように上記中空管部及び上記連結線部の双方が接続される固定ユニット部が設けられ、この固定ユニット部は、上記排水弁装置部に着脱可能に取り付けられていることを特徴とする排水弁駆動ユニット。
【請求項２】
上記中空管部は、上記固定ユニット部に固定され、上記連結線部は、上記固定ユニット部に移動可能に接続されている請求項１記載の排水弁駆動ユニット。
【請求項３】
上記排水弁装置部は、更に、上記弁体から上方に延びる本体部と、この本体部を上下方向に移動可能にガイドするガイド部と、を備え、上記固定ユニット部を上記排水弁装置部に取り付けた状態では、上記連結線部は、上記操作部の操作により上記固定ユニット部に対して移動した際、上記本体部の一部と当接して上記本体部及び上記弁体を引き上げ可能な位置に接続される請求項２記載の排水弁駆動ユニット。
【請求項４】
上記連結線部は、上記操作部の操作により上記固定ユニット部内を上下方向に移動する係止部材を備え、上記本体部は、上記操作部の操作により上記連結線部が上記固定ユニット部に対して引き上げられている状態で上記係止部材が当接して上記本体部及び上記弁体を上方に移動させる突起を備えている請求項３記載の排水弁駆動ユニット。
【請求項５】
上記固定ユニット部と上記排水弁装置部との取付部分は、排水開始前の上記洗浄水タンク内の初期水位よりも低い高さ位置に設けられている請求項１乃至４の何れか１項に記載の排水弁駆動ユニット。
【請求項６】
請求項１乃至５の何れか１項に記載の排水弁駆動ユニットを備えたことを特徴とする洗浄水タンク装置。
【請求項７】
請求項６記載の洗浄水タンク装置を備えたことを特徴とする水洗大便器。
【発明の詳細な説明】
【技術分野】
【０００１】
本発明は、排水弁駆動ユニット、この排水弁駆動ユニットを備えた洗浄水タンク装置、及び、この洗浄水タンク装置を備えた水洗大便器に係り、特に、洗浄水タンク内の洗浄水を便器に排水する排水弁駆動ユニット、この排水弁駆動ユニットを備えた洗浄水タンク装置、及び、この洗浄水タンク装置を備えた水洗大便器に関する。
【背景技術】
【０００２】
従来から、洗浄水タンク内の洗浄水を便器に排水する排水弁駆動ユニットとして、例えば、特許文献１に記載されているように、操作部に接続されている１本の操作用ワイヤを引き上げることにより排水弁が上昇して洗浄水タンクの排水口が開放される、いわゆる、ワイヤ駆動式の直動型排水弁を備えたものが知られている。
このようなワイヤ駆動式の排水弁に用いられる操作用ワイヤは、その周囲がチューブに覆われており、このチューブの一端は、排水弁が内装されるケーシングに固定されている。一方、チューブを貫いて突出している操作用ワイヤの一端は、排水弁の弁体の一部に固定されており、チューブの一端と操作用ワイヤの一端のそれぞれが、互いに異なる二箇所で別々に固定されている。
【先行技術文献】
【特許文献】
【０００３】
【特許文献１】特開２０１３−１０４２７１号公報
【発明の概要】
【発明が解決しようとする課題】
【０００４】
しかしながら、上述した従来の排水弁駆動ユニットにおいては、チューブの一端と操作用ワイヤの一端のそれぞれが互いに異なる二箇所に別々に固定されているため、例えば、排水弁に不具合等が発生し、排水弁のみについて部品交換やメンテナンスを行う必要が生じた際、排水弁のみを取り外す作業が簡単ではないという問題がある。したがって、現状では部品交換やメンテナンスを行う必要がない操作用ワイヤやチューブ等、排水弁の周辺の関連部品までも排水弁と一緒に取り外して交換やメンテナンスを行う必要が生ずると、無駄な手間やコストもかかるという問題がある。
また、例えば、自動洗浄機能付きの便器においては、自動洗浄駆動部が便器の背面等に隠蔽されている場合も多いため、各部品同士の着脱をある程度簡単にしておかなければ、関連部品の交換やメンテナンスの作業も一層煩雑になるという問題もある。
【０００５】
そこで、本発明は、上述した従来技術の問題点を解決するためになされたものであり、施工性とメンテナンス性を向上させることができる排水弁駆動ユニットを提供することを目的としている。
【課題を解決するための手段】
【０００６】
上記の目的を達成するために、本発明は、洗浄水タンク内の洗浄水を便器に排水する排水弁駆動ユニットであって、上記洗浄水タンクに設けられた排水口を開閉する弁体を備えた排水弁装置部と、一端が上記排水弁装置部に連結されると共に他端が操作部に連結される連結部材と、を有し、この連結部材は、中空管部と、この中空管部内を貫く連結線部と、を備え、上記連結部材の他端には、上記操作部の操作に応じて上記連結線部が上記中空管部に対して移動されると上記弁体が開閉されるように上記中空管部及び上記連結線部の双方が接続される固定ユニット部が設けられ、この固定ユニット部は、上記排水弁装置部に着脱可能に取り付けられていることを特徴としている。
このように構成された本発明においては、固定ユニット部を排水弁装置部に取り付けた状態では、操作部の操作に応じて連結部材の連結線部が中空管部に対して移動することができ、排水弁装置部の弁体が洗浄水タンクの排水口を開閉することができる。また、例えば、排水弁装置部に不具合等が発生した際には、固定ユニット部を排水弁装置部から取り外すことにより、連結部材の中空管及びこの中空管部内を貫く連結線部の双方を排水弁装置部から同時に取り外すことができ、排水弁装置部のみを容易にメンテナンスすることができる。その後、再び固定ユニット部を排水弁装置部に取り付けることにより、連結部材の中空管及び連結線部の双方を排水弁装置部に同時に取り付けることができ、容易に施工することができる。したがって、排水弁駆動ユニットの施工性とメンテナンス性を向上させることができる。
【０００７】
本発明において、好ましくは、上記中空管部は、上記固定ユニット部に固定され、上記連結線部は、上記固定ユニット部に移動可能に接続されている。
このように構成された本発明においては、連結部材の中空管部が固定ユニット部に固定されると共に、連結線部が固定ユニット部に移動可能に接続されていることにより、中空管部内を貫く連結線部が操作部の操作に応じて中空管及び固定ユニット部に対して安定して移動することができるため、連結線部が安定動作可能な状態で固定ユニット部を排水弁装置部に着脱することができる。
【０００８】
本発明において、好ましくは、上記排水弁装置部は、更に、上記弁体から上方に延びる本体部と、この本体部を上下方向に移動可能にガイドするガイド部と、を備え、上記固定ユニット部を上記排水弁装置部に取り付けた状態では、上記連結線部は、上記操作部の操作により上記固定ユニット部に対して移動した際、上記本体部の一部と当接して上記本体部及び上記弁体を引き上げ可能な位置に接続される。
このように構成された本発明においては、固定ユニット部を排水弁装置部に取り付けた状態では、連結線部が、操作部の操作により固定ユニット部に対して移動した際、本体部の一部と当接して本体部及び弁体を引き上げ可能な位置に接続されるため、固定ユニット部を排水弁装置部に取り付けるだけで、容易に連結線部で本体部及び弁体を引き上げ動作可能とすることができる。したがって、排水弁駆動ユニットの施工性とメンテナンス性を向上させることができる。
【０００９】
本発明において、好ましくは、上記連結線部は、上記操作部の操作により上記固定ユニット部内を上下方向に移動する係止部材を備え、上記本体部は、上記操作部の操作により上記連結線部が上記固定ユニット部に対して引き上げられている状態で上記係止部材が当接して上記本体部及び上記弁体を上方に移動させる突起を備えている。
このように構成された本発明においては、操作部の操作により固定ユニット部内を上下方向に移動する連結線部の係止部材と、操作部の操作により連結線部が固定ユニット部に対して引き上げられている状態で係止部材が当接する排水弁装置部の本体部の突起によって、簡易な構造で排水弁装置部の本体部と弁体を引き上げ動作可能とすることができる。
【００１０】
本発明において、好ましくは、上記固定ユニット部と上記排水弁装置部との取付部分は、排水開始前の上記洗浄水タンク内の初期水位よりも低い高さ位置に設けられている。
このように構成された本発明においては、固定ユニット部と排水弁装置部との取付部分が排水開始前の洗浄水タンク内の初期水位よりも低い高さ位置に設けられていることにより、排水開始前の初期状態で固定ユニット部と排水弁装置部との取付部分が水没しているため、固定ユニット部と排水弁装置部との取付部分に水垢等が付着するのを防ぐことができる。したがって、固定ユニット部が排水弁装置部から着脱しやすくなり、排水弁駆動ユニットの施工性とメンテナンス性を向上させることができる。
【００１１】
つぎに、本発明は、上記排水弁装置を備えたことを特徴とする洗浄水タンク装置である。
このように構成された本発明においては、施工性とメンテナンス性を向上させることができる排水弁駆動ユニットを備えた洗浄水タンク装置を提供することができる。
【００１２】
つぎに、本発明は、上記洗浄水タンク装置を備えたことを特徴とする水洗大便器である。
このように構成された本発明においては、施工性とメンテナンス性を向上させることができる排水弁駆動ユニットを備えた洗浄水タンク装置を有する水洗大便器を提供することができる。
【発明の効果】
【００１３】
本発明の排水弁駆動ユニットによれば、施工性とメンテナンス性を向上させることができる。
【図面の簡単な説明】
【００１４】
【図１】本発明の一実施形態による排水弁駆動ユニットを備えた洗浄水タンク装置が適用された水洗大便器の斜視図である。
【図２】本発明の一実施形態による排水弁駆動ユニットを備えた洗浄水タンク装置が適用された水洗大便器の側面断面図である。
【図３】本発明の一実施形態による排水弁駆動ユニットを備えた洗浄水タンク装置について貯水タンクの上蓋及び前側壁面を省略して内部構造を前方斜め上方から見た斜視図である。
【図４】本発明の一実施形態による排水弁駆動ユニットを示す正面断面図である。
【図５】本発明の一実施形態による排水弁駆動ユニットにおける排水弁装置とこの排水弁装置から取り外した状態の固定ユニット及び連結部材を示す分解斜視図である。
【図６】本発明の一実施形態による排水弁駆動ユニットの固定ユニットにおけるケーシング部材とこのケーシング部材から取り外した状態の連結部材を示す分解斜視図である。
【図７】本発明の一実施形態による排水弁駆動ユニットにおける排水弁装置の筒状本体部材について斜め下方から見た斜視図である。
【図８】図４に示す本発明の一実施形態による排水弁駆動ユニットにおいて、固定ユニットの部分を拡大した部分拡大正面図である。
【発明を実施するための形態】
【００１５】
つぎに、添付図面により、本発明の一実施形態による排水弁駆動ユニット、この排水弁駆動ユニットを備えた洗浄水タンク装置、及び、この洗浄水タンク装置を備えた水洗大便器について説明する。
まず、図１及び図２により、本発明の一実施形態による排水弁駆動ユニットを備えた洗浄水タンク装置が適用された水洗大便器を説明する。
図１は、本発明の一実施形態による排水弁駆動ユニットを備えた洗浄水タンク装置が適用された水洗大便器の斜視図であり、図２は、本発明の一実施形態による排水弁駆動ユニットを備えた洗浄水タンク装置が適用された水洗大便器の側面断面図である。
【００１６】
図１及び図２に示すように、本発明の一実施形態による排水弁駆動ユニット１は、水洗大便器２の便器本体４の上面後方に配置された洗浄水タンク装置６の貯水タンク８内に設けられており、この貯水タンク８内の洗浄水を便器本体４に排水するためのものである。
水洗大便器２の便器本体４は、その前方側に設けられたボウル部１０と、このボウル部１０の上縁に形成されたリム部１２と、このリム部１２の内周に形成された棚部１４とを備えている。
また、便器本体４のボウル部１０の底部には、排水トラップ管路１６の入口１６ａが開口し、この排水トラップ管路１６は、上方に延びる上昇管１６ｂと、下方に延びる下降管１６ｃを備えている。この排水トラップ管路１６の形状から分かるように、水洗大便器２は、高さ方向の落差により汚物を排出する洗い落とし式便器である。
なお、本実施形態においては、水洗大便器２として、洗い落とし式便器に適用した形態について説明するが、このような形態に限定されず、サイホン作用を利用してボウル部内の汚物を吸い込んで排水トラップ管路から一気に外部に排出する、いわゆる、サイホン式便器の形態等、他の水洗大便器の形態についても適用可能である。
【００１７】
つぎに、便器本体４は、洗浄水タンク装置６の排水口１８から排出される洗浄水が流入する導水路２０と、リム部１２の前方から見て左側中央に形成された第１リム吐水口２２と、リム部１２の前方から見て右側後方に形成された第２リム吐水口２４（図１参照）とを備えている。
また、導水路２０は、下流に向かってリム部１２の後壁面１２ａ付近の分岐領域２０ａまで延びた後、この分岐領域２０ａから第１リム吐水口２２まで延びる第１導水路２０ｂと、分岐領域２０ａから第２リム吐水口２４まで延びる第２導水路２０ｃと備えており、導水路２０の洗浄水は、分岐領域２０ａから第１導水路２０ｂを経て第１リム吐水口２２に到達する一方、分岐領域２０ａから第２導水路２０ｃを経て第２リム吐水口２４に到達し、第１リム吐水口２２及び第２リム吐水口２４のそれぞれから吐水され、ボウル部１０が洗浄され、汚物が排水トラップ管路１６から排出されるようになっている。
【００１８】
つぎに、図１〜図３により、本発明の一実施形態による排水弁駆動ユニット１を備えた洗浄水タンク装置の内部構造について説明する。
図３は、本発明の一実施形態による排水弁駆動ユニットを備えた洗浄水タンク装置について貯水タンクの上蓋及び前側壁面を省略して内部構造を前方斜め上方から見た斜視図である。
図１〜図３に示すように、本発明の一実施形態による排水弁駆動ユニット１を備えた洗浄水タンク装置６は、水洗大便器２を洗浄する洗浄水を貯水する貯水タンク８を備え、この貯水タンク８の底部には、便器本体４の導水路２０と連通する排水口１８が設けられ、貯水タンク８内の洗浄水は、排水口１８から便器本体４の導水路２０へと供給されるようになっている。また、貯水タンク８は、便器の種類に応じて、貯水する洗浄水の量が異なっている。
【００１９】
図３に示すように、洗浄水タンク装置６の貯水タンク８内には、この貯水タンク８内に洗浄水を供給する給水装置２６と、貯水タンク８に貯えられた洗浄水について排水口１８を開放して便器本体４の導水路２０に流出させる、詳細は後述する排水弁駆動ユニット１の排水弁装置２８が設けられている。この排水弁装置２８は、操作部の操作により１本の操作用ワイヤを引き上げることによって弁体が上昇して貯水タンクの排水口が開放される、いわゆる、ワイヤ駆動式の直動型の排水弁装置である。
【００２０】
また、給水装置２６は、外部の給水源（図示せず）に接続され且つ貯水タンク８の底部から上方に延びるように設けられた給水管３０と、この給水管３０の上端部に取り付けられ、給水管３０から給水される洗浄水の貯水タンク８内への吐水と止水を切り替える給水バルブ３２と、貯水タンク８内の水位の変動に応じて上下動して給水バルブ３２による吐水と止水を切り替えるフロート３４とを備えている。
【００２１】
給水管３０の外周側下端部には、複数の吐水口３６が形成され、給水バルブ３２を通過した洗浄水が吐水口３６から貯水タンク８内に吐水されるようになっている。
また、給水装置２６においては、排水弁駆動ユニット１の排水弁装置２８により、貯水タンク８内の洗浄水が便器に排水されると、洗浄水の水位が低下してフロート３４が下降し、それにより給水バルブ３２が開き、吐水口３６からの吐水が開始され、洗浄水タンク装置６の外部の給水源（図示せず）から貯水タンク８内への吐水が開始されるようになっている。
さらに、吐水が継続されて貯水タンク８内の水位が上昇すると、フロート３４が上昇し、それにより給水バルブ３２が閉鎖され、吐水口３６からの吐水が止水されるようになっている。これにより、貯水タンク８内の洗浄水の水位が満水時の所定水位（以下「満水水位Ｗ０」）に維持されるようになっている。ここで、満水水位Ｗ０は、実質的には、排水開始前の貯水タンク８内の初期水位にも相当している。
なお、給水装置２６は、本実施形態では説明を省略するが、リフィール管（図示せず）等を備えており、このリフィール管（図示せず）から流出する一部の洗浄水が、詳細は後述する排水弁装置２８のオーバーフロー管３８内に流れ込み、便器本体４の導水路２０を経て補給水としてボウル部１０内に供給されることができるようになっている。
【００２２】
また、図３に示すように、洗浄水タンク装置６は、排水弁駆動ユニット１の排水弁装置２８の動作を操作する操作装置４０を備え、この操作装置４０は、貯水タンク８の外部に取り付けられた操作レバー４２と、貯水タンク８の内部に設けられて操作レバー４２に連結されるワイヤ巻取り装置４４を備えている。このワイヤ巻取り装置４４は、操作レバー４２が手動により回転操作されたときの回転力がワイヤ巻取り装置４４のケーシング４４ａ内のプーリやギヤ等の回転機構部材（図示せず）に伝達されるようになっており、詳細は後述する排水弁駆動ユニット１の細長状の連結部材４６の一端が接続されている。
【００２３】
つぎに、図１〜図８を参照して、本発明の一実施形態による排水弁駆動ユニットの詳細について説明する。
まず、図４は、本発明の一実施形態による排水弁駆動ユニットを示す正面断面図であり、図５は、本発明の一実施形態による排水弁駆動ユニットにおける排水弁装置とこの排水弁装置から取り外した状態の固定ユニット及び連結部材を示す分解斜視図である。
また、図６は、本発明の一実施形態による排水弁駆動ユニットの固定ユニットにおけるケーシング部材とこのケーシング部材から取り外した状態の連結部材を示す分解斜視図である。さらに、図７は、本発明の一実施形態による排水弁駆動ユニットにおける排水弁装置の筒状本体部材について斜め下方から見た斜視図である。また、図８は、図４に示す本発明の一実施形態による排水弁駆動ユニットにおいて、固定ユニットの部分を拡大した部分拡大正面図である。
【００２４】
図３〜図６及び図８に示すように、本実施形態の排水弁駆動ユニット１は、排水弁装置２８と、上端接続部が操作装置４０のワイヤ巻取り装置４４に連結される連結部材４６と、この連結部材４６の下端接続部が接続される固定ユニット４８を備えている。
また、図４、図６及び図８に示すように、連結部材４６は、比較的弾性に富んだ可撓性を有する金属製の操作用ワイヤ部材５０と、この操作用ワイヤ部材５０の周囲を覆う可撓性及び耐久性を有する中空の外側ホース部材５２とを備え、この操作用ワイヤ部材５０は、外側ホース部材５２の内部を貫くように延びている。
なお、本実施形態では、操作用ワイヤ部材５０として、比較的弾性に富んだ可撓性を有する金属製のワイヤ部材を用いた例について説明するが、ワイヤ部材の代わりに樹脂製又は金属製の玉鎖等の部材を適用してもよい。
【００２５】
さらに、図３に示すように、外側ホース部材５２の上端接続部５２ａは、ワイヤ巻取り装置４４のケーシング４４ａの下端接続部４４ｂに固定されている。
一方、外側ホース部材５２の上端接続部５２ａから突出して延びる操作用ワイヤ部材５０の上端接続部５０ａは、ワイヤ巻取り装置４４のケーシング４４ａ内のプーリ等の回転機構部材（図示せず）に連結されており、操作レバー４２が手動により回転中心軸線Ａ１を中心に回転操作されると、操作用ワイヤ部材５０がワイヤ巻取り装置４４の回転機構部材（図示せず）によって巻き取られ、外側ホース部材５２に対して長手方向に摺動して移動し、全体的に引き上げられるようになっている。
【００２６】
つぎに、図３〜図５、図７及び図８に示すように、排水弁駆動ユニット１の排水弁装置２８は、貯水タンク８の底面に取り付けられ且つ便器本体４の導水路２０に連通する排水口１８を形成する排水口形成部材５４と、排水口１８の上方に且つ排水口１８の中心軸線Ｃ１と同心軸状に上下方向に延びるように設けられたオーバーフロー管３８を備えている。
また、図４に示すように、排水口形成部材５４の下端部は、貯水タンク８の底面８ａを貫き、シール部材５６を介して締結部材５８によって締結され、排水口形成部材５４が貯水タンク８の底面８ａに固定されている。
さらに、図４に示すように、排水口形成部材５４は、排水口１８の上縁に沿って全周に亘って形成され且つ上方に突出する弁座６０を備え、図４及び図７に示すように、オーバーフロー管３８の下端部には、弁座６０と当接可能な弁体６２が設けられ、弁座６０と弁体６２が当接した状態では、排水口１８が閉鎖されるようになっている。
【００２７】
また、図４及び図５に示すように、排水口形成部材５４は、弁座６０から外側に向かって所定間隔を置いた位置から排水口形成部材５４の上端部まで上下方向に延びる複数の支柱部６４を備え、これらの支柱部６４は、周方向に沿って所定間隔を置いて配置されており、隣り合う支柱部６４同士の間に排水弁装置２８の外側の洗浄水を排水口１８へ流入させるための複数の連通口６６を形成している。
さらに、図４、図５、図７及び図８に示すように、排水弁駆動ユニット１の排水弁装置２８は、排水口形成部材５４の上方に且つオーバーフロー管３８の周囲を取り囲むように設けられたガイド部材６８を備えている。このガイド部材６８は、その下端部から上方に円筒状に延びる円筒部６８ａを備え、オーバーフロー管３８は、ガイド部材６８の円筒部６８ａ内に挿入されて且つ円筒部６８ａの上方に貫くように円筒状に形成された本体部３８ａを備えている。
また、図７及び図８に示すように、オーバーフロー管３８の本体部３８ａの外面には、上下方向に延びるように形成された複数のガイド用突起３８ｂが、周方向に所定間隔を置いて形成されている。オーバーフロー管３８の本体部３８ａがガイド部材６８の円筒部６８ａ内に挿入された状態では、複数のガイド用突起３８ｂが、ガイド部材６８の円筒部６８ａの内周面と当接し、オーバーフロー管３８がガイド部材６８に対してがたつくことなく上下方向に摺動して移動することができるようになっている。
【００２８】
つぎに、図４〜図８に示すように、固定ユニット４８は、その本体部を形成するケーシング７０を備え、このケーシング７０は、ガイド部材６８の円筒部６８ａの側面に形成される固定ユニット取付部７２に着脱可能に取り付けられるようになっている。
また、図５及び図６に示すように、ケーシング７０の前方から見て左側側面の中央部には、上下方向に延びるヒンジ軸７０ａが設けられており、ケーシング７０は、このヒンジ軸７０ａを中心に開閉可能な前側ケーシング部７０ｂ及び後側ケーシング７０ｃを備えている。
さらに、ケーシング７０の前側ケーシング部７０ｂと後側ケーシング７０ｃの上端部には、外側ホース部材５２の下端接続部５２ｂが取り付けられて固定される接続部７０ｄが設けられている。
【００２９】
また、前側ケーシング部７０ｂの前面と後側ケーシング７０ｃの後面のそれぞれには、上下方向に対をなして並置されている弾性爪７０ｅがそれぞれ設けられている。
さらに、図５に示すように、固定ユニット取付部７２は、ケーシング７０の前後方向を挟持可能にケーシング７０の幅とほぼ等しい幅で上下方向に延びるように形成されている一対の挟持壁７２ａ，７２ｂを備えている。これらの挟持壁７２ａ，７２ｂには、ケーシング７０を固定ユニット取付部７２に取り付けた状態で、ケーシング７０の弾性爪７０ｅのそれぞれが弾性的に係止される係止穴７２ｃが設けられている。
【００３０】
ケーシング７０を固定ユニット取付部７２に取り付ける際には、ケーシング７０の前側ケーシング部７０ｂと後側ケーシング７０ｃを閉じた状態で、挟持壁７２ａ，７２ｂの間に嵌め込み、各弾性爪７０ｅの先端部がこれらに対応する係止穴７２ｃに弾性的に嵌り込むことにより、ケーシング７０が固定ユニット取付部７２に固定されるようになっている。このように、固定ユニット４８を排水弁装置２８の固定ユニット取付部７２に取り付けることにより、連結部材４６の外側ホース部材５２及び操作用ワイヤ部材５０の双方を排水弁装置２８に同時に取り付けることができるようになっている。
一方、ケーシング７０を固定ユニット取付部７２から取り外す際には、弾性爪７０ｅの先端部を押圧することにより、係止穴７２ｃに弾性的に嵌り込んでいる弾性爪７０ｅの係止が解除され、ケーシング７０が固定ユニット取付部７２から取り外すことができるようになっている。このように、固定ユニット４８を排水弁装置２８の固定ユニット取付部７２から取り外すことにより、連結部材４６の外側ホース部材５２及びこの外側ホース部材５２内を貫く操作用ワイヤ部材５０の双方を排水弁装置２８から同時に取り外すことができるようになっている。
【００３１】
また、図３、図４及び図８に示すように、固定ユニット４８のケーシング７０と排水弁装置２８の固定ユニット取付部７２との取付部分は、排水開始前の貯水タンク８内の初期水位Ｗ０よりも低い高さ位置に設けられている。これにより、ケーシング７０を固定ユニット取付部７２に取り付けた状態では、排水開始前の初期状態で固定ユニット４８のケーシング７０と排水弁装置２８の固定ユニット取付部７２との取付部分が水没し、この取付部分に水垢等が付着するのを防ぐことができ、排水弁装置２８の固定ユニット取付部７２から固定ユニット４８のケーシング７０を着脱しやすくなるようになっている。
【００３２】
さらに、図６及び図８に示すように、ケーシング７０内には、外側ホース部材５２の下端接続部５２ｂから突出して延びる操作用ワイヤ部材５０の下端に突起５０ｂが設けられている。この突起５０ｂは、操作装置４０の操作により、外側ホース部材５２に対して移動し、操作用ワイヤ部材５０と共にケーシング７０内で上下方向に移動することができるようになっている。
また、操作用ワイヤ部材５０の突起５０ｂの上方には、ケーシング７０内に収容可能であり且つ突起５０よりも外形が大きい小判形の留め具７４が設けられている。この留め具７４の中央穴７４ａには、操作用ワイヤ部材５０が貫いており、操作用ワイヤ部材５０が引き上げられた際、操作用ワイヤ部材５０の下端の突起５０ｂの上面が留め具７４の下面に当接することにより、突起５０ｂと留め具７４が一体に上昇可能となっている。
【００３３】
また、図５、図７及び図８に示すように、オーバーフロー管３８の本体部３８ａの側面には、水平方向外側に突出する弁体操作用突起７６が設けられている。この弁体操作用突起７６は、オーバーフロー管３８の本体部３８ａにガイド部材６８を取り付けた状態では、固定ユニット取付部７２に対応するガイド部材６８の円筒部６８ａの側面に形成される開口６８ｂを貫いて外側に突出している。また、ケーシング７０を固定ユニット取付部７２に取り付けた状態では、弁体操作用突起７６が、ガイド部材６８の円筒部６８ａの開口６８ｂと対向するケーシング７０の排水弁装置２８側の開口７０ｆ（図６参照）から挿入され、ケーシング７０内に位置している。
【００３４】
さらに、弁体操作用突起７６には、そのほぼ中央部から水平方向の先端部に向かってガイド溝７６ａが形成されている。固定ユニット４８のケーシング７０を固定ユニット取付部７２に取り付けた状態では、弁体操作用突起７６がケーシング７０内の操作用ワイヤ部材５０の突起５０ｂ及び留め具７４よりも上方に位置し、操作用ワイヤ部材５０が弁体操作用突起７６のガイド溝７６ａを上下方向に貫くように延びている。そして、操作用ワイヤ部材５０が引き上げられた際、操作用ワイヤ部材５０の下端の突起５０ｂと共に上昇する留め具７４の上面が弁体操作用突起７６の下面に当接して接続されるようになっている。
また、この留め具７４と弁体操作用突起７６同士が当接した状態で、さらに操作用ワイヤ部材５０が引き上げられると、操作用ワイヤ部材５０の突起５０ｂ及び留め具７４とオーバーフロー管３８の本体部３８ａの弁体操作用突起７６とが一体的に上昇するようになっている。そして、弁体操作用突起７６と共にオーバーフロー管３８が上昇すると、このオーバーフロー管３８の下端部に設けられた弁体６２が上昇し、排水口１８が開放されるようになっている。
なお、図４及び図８においては、操作用ワイヤ部材５０の突起５０ｂ及び留め具７４、並びに、オーバーフロー管３８、弁体６２及び弁体操作用突起７６について、最も上昇して大洗浄モードによる便器洗浄が開始される状態の位置（最高位置）を鎖線で示しており、最も下降して弁体６２が排水口１８が閉止している状態の位置（最低位置）を実線で示している。
【００３５】
例えば、図３に示すように、操作装置４０の操作レバー４２をその回転中心軸線Ａ１を中心に所定方向Ｂに手動により回転させると、ワイヤ巻取り装置４４のケーシング４４ａ内のプーリ等の回転機構部材（図示せず）が回転し、この回転機構部材（図示せず）により連結部材４６の操作用ワイヤ部材５０が巻き上げられ、操作用ワイヤ部材５０の突起５０ｂ及び留め具７４が引き上げられるようになっている。
そして、図３、図４及び図８に示すように、引き上げられた操作用ワイヤ部材５０の突起５０ｂ及び留め具７４がオーバーフロー管３８の本体部３８ａの弁体操作用突起７６に下方から当接して連結し、弁体操作用突起７６が引き上げられると、オーバーフロー管３８の本体部３８ａ及び弁体６２が所定の高さＨ１まで引き上げられて排水口１８が開放されるようになっている。そして、貯水タンク８の排水口１８から便器本体４の導水路２０に比較的多い排水量で排水が行われ、便器本体４のボウル部１０内で大洗浄モードに便器洗浄が実行されるようになっている。
【００３６】
同様に、操作装置４０の操作レバー４２をその回転中心軸線Ａ１を中心に所定方向Ｂとは反対方向Ｃに手動により回転させると、ワイヤ巻取り装置４４のケーシング４４ａ内のプーリ等の回転機構部材（図示せず）が回転し、図３及び図４に示すように、引き上げられた操作用ワイヤ部材５０により排水弁装置２８の弁体６２が所定の高さＨ１より低い所定の高さＨ２まで引き上げられて排水口１８が開放されるようになっている。そして、貯水タンク８の排水口１８から便器本体４の導水路２０に比較的少ない排水量で排水が行われ、便器本体４のボウル部１０内で小洗浄モードに便器洗浄が実行されるようになっている。
【００３７】
なお、本実施形態では、操作装置４０の操作レバー４２を手動により回転操作することによりワイヤ巻取り装置を操作し、操作用ワイヤ部材５０の引き上げ操作が可能な例について説明したが、操作レバーを回動させるためのモータ等の駆動手段を設け、操作装置の操作レバーやワイヤ巻取り装置を電動で駆動させるような形態にしてもよい。また、外部に設定された操作ボタン又は人感センサーからの指令信号によって駆動手段の作動を自動的に制御するような操作形態にしてもよい。
【００３８】
上述した本発明の一実施形態による排水弁駆動ユニット１によれば、固定ユニット４８を排水弁装置２８の固定ユニット取付部７２に取り付けた状態では、操作装置４０の操作に応じて連結部材４６の操作用ワイヤ部材５０が外側ホース部材５２に対して移動することができ、排水弁装置２８の弁体６２が貯水タンク８の排水口１８を開閉することができる。また、例えば、排水弁装置２８に不具合等が発生した際には、固定ユニット４８を排水弁装置２８の固定ユニット取付部７２から取り外すことにより、連結部材４６の外側ホース部材５２及びこの外側ホース部材５２内を貫く操作用ワイヤ部材５０の双方を排水弁装置２８から同時に取り外すことができ、排水弁装置２８のみを容易にメンテナンスすることができる。その後、再び固定ユニット４８を排水弁装置２８の固定ユニット取付部７２に取り付けることにより、連結部材４６の外側ホース部材５２及び操作用ワイヤ部材５０の双方を排水弁装置２８に同時に取り付けることができ、容易に施工することができる。したがって、排水弁駆動ユニット１の施工性とメンテナンス性を向上させることができる。
【００３９】
また、本実施形態による排水弁駆動ユニット１によれば、連結部材４６の外側ホース部材５２が固定ユニット４８のケーシング７０に固定されると共に、操作用ワイヤ部材５０の下端接続部の突起５０ｂ及び留め具７４が固定ユニット４８のケーシング７０内に移動可能に接続されていることにより、外側ホース部材５２内を貫く操作用ワイヤ部材５０が操作装置４０の操作に応じて外側ホース部材５２及び固定ユニット４８のケーシング７０に対して安定して移動することができる。したがって、操作用ワイヤ部材５０が安定動作可能な状態で固定ユニット４８を排水弁装置２８の固定ユニット取付部７２に着脱することができる。
【００４０】
さらに、本実施形態による排水弁駆動ユニット１によれば、固定ユニット４８を排水弁装置２８の固定ユニット取付部７２に取り付けた状態では、操作用ワイヤ部材５０の下端接続部の突起５０ｂ及び留め具７４が、操作装置３０の操作により固定ユニット４８のケーシング７０に対して移動した際、排水弁装置２８のオーバーフロー管３８の本体部３８ａの弁体操作用突起７６と当接して本体部及び弁体を引き上げ可能な位置に接続されるため、固定ユニット４８を排水弁装置２８の固定ユニット取付部７２に取り付けるだけで、容易に操作用ワイヤ部材５０で排水弁装置２８のオーバーフロー管３８の本体部３８ａと弁体６２を引き上げ動作可能とすることができる。したがって、排水弁駆動ユニット１の施工性とメンテナンス性を向上させることができる。
【００４１】
また、本実施形態による排水弁駆動ユニット１によれば、操作装置４０の操作により固定ユニット４８のケーシング７０内を上下方向に移動する操作用ワイヤ部材５０の下端接続部の突起５０ｂ及び留め具７４と、操作装置４０の操作により操作用ワイヤ部材５０が固定ユニット４８のケーシング７０に対して引き上げられている状態で留め具７４が当接する排水弁装置２８のオーバーフロー管３８の本体部３８ａの弁体操作用突起７６によって、簡易な構造で排水弁装置２８のオーバーフロー管３８の本体部３８ａと弁体６２を引き上げ動作可能とすることができる。
【００４２】
さらに、本実施形態による排水弁駆動ユニット１によれば、固定ユニット４８のケーシング７０と排水弁装置２８の固定ユニット取付部７２との取付部分が排水開始前の貯水タンク８内の初期水位Ｗ０よりも低い高さ位置に設けられていることにより、排水開始前の初期状態で固定ユニット４８のケーシング７０と排水弁装置２８の固定ユニット取付部７２との取付部分が水没しているため、この固定ユニット４８のケーシング７０と排水弁装置２８の固定ユニット取付部７２との取付部分に水垢等が付着するのを防ぐことができる。したがって、固定ユニット４８のケーシング７０が排水弁装置２８の固定ユニット取付部７２から着脱しやすくなり、排水弁駆動ユニット１の施工性とメンテナンス性を向上させることができる。
【００４３】
また、本実施形態による排水弁駆動ユニット１によれば、施工性とメンテナンス性を向上させることができる洗浄水タンク装置６と水洗大便器２を提供することができる。
【符号の説明】
【００４４】
１      排水弁駆動ユニット
２      水洗大便器
４      便器本体
６      洗浄水タンク装置
８      貯水タンク
８ａ    貯水タンクの底面
１０      ボウル部
１２      リム部
１２ａ    リム部の後壁面
１４      棚部
１６      排水トラップ管路
１６ａ    排水トラップ管路の入口
１６ｂ    排水トラップ管路の上昇管
１６ｃ    排水トラップ管路の下降管
１８      排水口
２０      導水路
２０ａ    導水路の分岐領域
２０ｂ    第１導水路
２０ｃ    第２導水路
２２      第１リム吐水口
２４      第２リム吐水口
２６      給水装置
２８      排水弁装置（排水弁装置部）
３０      給水管
３２      給水バルブ
３４      フロート
３６      吐水口
３８      オーバーフロー管（排水弁装置部の本体部）
３８ａ    オーバーフロー管の本体部
３８ｂ    オーバーフロー管のガイド用突起
４０      操作装置（操作部）
４２      操作レバー
４４      ワイヤ巻取り装置（操作部）
４４ａ    ケーシング
４４ｂ    ケーシングの下端接続部
４６      連結部材
４８      固定ユニット
５０      操作用ワイヤ部材（連結部材の連結線部）
５０ａ    操作用ワイヤ部材の上端接続部（連結部材の他端）
５０ｂ    操作用ワイヤ部材の突起（連結部材の一端）
５２      外側ホース部材（連結部材の中空管部）
５２ａ    外側ホース部材の上端接続部（連結部材の他端）
５２ｂ    外側ホース部材の下端接続部（連結部材の一端）
５４      排水口形成部材
５６      シール部材
５８      締結部材
６０      弁座
６２      弁体
６４      支柱部
６６      連通口
６８      ガイド部材（排水弁装置部のガイド部）
６８ａ    ガイド部材の円筒部
６８ｂ    ガイド部材の開口
７０      ケーシング
７０ａ    ケーシングのヒンジ軸
７０ｂ    前側ケーシング部
７０ｃ    後側ケーシング部
７０ｄ    接続部
７０ｅ    弾性爪  
７０ｆ    開口
７２      固定ユニット取付部
７２ａ    挟持壁
７２ｂ    挟持壁
７２ｃ    係止穴
７２ａ    開口
７４      留め具（係止部材）
７４ａ    留め具の中央穴
７６      弁体操作用突起
７６ａ    ガイド溝
【図１】
0006288608.tif 000002
【図２】
0006288608.tif 000003
【図３】
0006288608.tif 000004
【図４】
0006288608.tif 000005
【図５】
0006288608.tif 000006
【図６】
0006288608.tif 000007
【図７】
0006288608.tif 000008
【図８】
0006288608.tif 000009